(57)【要約】【課題】壁体を簡単に構成できるとともに、壁体自体に一体的に特徴的な機能を付与することにより、壁回りの雰囲気や利便性を向上させることができる。【解決手段】上枠２と下枠３と両側の側枠４とによって方形の壁枠１を形成し、上記壁枠１の一側の偏り位置には表札１０、インターホン１１、ポスト１２等の門まわり器具を集約して配置した門まわり機能部ａを設け、他の部位には壁機能部ｂを設けた。なお、門まわり機能部ａの正面は、上記壁機能部ｂの正面に対して斜めに設けられるようにするのが好ましい。【選択図】図１
2011042930.tif 000002
【特許請求の範囲】
【請求項１】
上部材と下部材と両側の側部材とによって方形の壁枠を形成し、上記壁枠の一側の偏り位置には表札、インターホン、ポスト等の門まわり器具を集約して配置した門まわり機能部を設け、他の部位には壁機能部を設けたことを特徴とする機能壁。
【請求項２】
上記壁機能部には、ルーバーが配設されていることを特徴とする、請求項１に記載の機能壁。
【請求項３】
上記壁機能部には化粧板を着脱可能に設けたことを特徴とする、請求項１又は２に記載の機能壁。
【請求項４】
上記門まわり機能部の正面は、上記壁機能部の正面に対して斜めに設けられていることを特徴とする、請求項１〜３のいずれかに記載の記載の機能壁。
【請求項５】
上記ポストの本体は、上記門まわり機能部の正面に直交する方向に沿うように形成されていることを特徴とする、請求項１〜４のいずれかに記載の記載の機能壁。
【請求項６】
上記門まわり機能部の正面は面板によって構成され、この面板によって形成された開口部に上記門まわり器具が嵌合装着されていることを特徴とする、請求項１〜５のいずれかに記載の記載の機能壁。
【発明の詳細な説明】
【技術分野】
【０００１】
本発明は、壁体にインターホン、ポスト等の機能を付した機能壁に関する。
【背景技術】
【０００２】
一般に、塀のような壁体は敷地の内外の境界に設けられるものである。壁体は連続するものではなく、門の部分は途切れて出入り口を構成している。このため、特許文献１に示すように、門柱と門袖と塀（壁体）とを連結することにより、全体を一体化したものが提案されている。また、門柱と門袖とを一体化したもの（特許文献２参照）や、特許文献３のように、中空の門柱とその一側方に延設された格子群による壁体とから成る玄関ポーチなども知られている。
【先行技術文献】
【特許文献】
【０００３】
【特許文献１】特開平７−３２４５７５号
【特許文献２】意匠登録第１０２６９２８号
【特許文献３】意匠登録第１２８１４９０号
【発明の概要】
【発明が解決しようとする課題】
【０００４】
しかしながら、いずれも壁体は独立した壁体であり、壁体自体を特徴的に構成したものは全く存在しなかった。
【０００５】
本発明は上記問題点を解消し、壁体を簡単に構成できるとともに、壁体自体に一体的に特徴的な機能を付与することにより、壁回りの雰囲気や利便性を向上させることができる機能壁を提供することをその課題とする。
【課題を解決するための手段】
【０００６】
上記課題を解決するため、請求項１に係る発明は、上部材と下部材と両側の側部材とによって方形の壁枠を形成し、上記壁枠の一側の偏り位置には表札、インターホン、ポスト等の門まわり器具を集約して配置した門まわり機能部を設け、他の部位には壁機能部を設けたことを特徴とする。
【０００７】
請求項２に係る発明は、請求項１において、上記壁機能部には、ルーバーが配設されていることを特徴とする。
【０００８】
請求項３に係る発明は、請求項１又は２において、上記壁機能部には化粧板を着脱可能に設けたことを特徴とする。
【０００９】
請求項４に係る発明は、請求項１〜３のいずれかにおいて、上記門まわり機能部の正面は、上記壁機能部の正面に対して斜めに設けられていることを特徴とする。
【００１０】
請求項５に係る発明は、請求項１〜４のいずれかにおいて、上記ポストの本体は、上記門まわり機能部の正面に直交する方向に沿うように形成されていることを特徴とする。
【００１１】
請求項６に係る発明は、請求項１〜５のいずれかにおいて、上記門まわり機能部の正面は面板によって構成され、この面板によって形成された開口部に上記門まわり器具が嵌合装着されていることを特徴とする。
【発明の効果】
【００１２】
請求項１に係る発明によれば、上部材と下部材と両側の側部材とを方形に枠組みしてなる壁枠を形成し、上記壁枠の一側の偏り位置には表札、インターホン、ポスト等の門まわり器具を集約して配置した門まわり機能部を設け、他の部位には壁機能部を設けた構成であるから、壁体は壁枠に基づいて簡単に構成することができ、また、壁枠に一体的に門まわり器具が付設されているから、壁回りの利便性を向上させることができる。
【００１３】
請求項２に係る発明によれば、壁機能部にはルーバーが配設されているので、目隠しになるとともに、敷地内外の風通しを良好に確保することができる。
【００１４】
請求項３に係る発明によれば、さらに、壁機能部には化粧板３０を取り付けることができるから、壁回りの雰囲気を変えることができる。
【００１５】
請求項４に係る発明によれば、門まわり機能部の正面は、上記壁機能部の正面に対して斜めに設けられている角部が除かれた分だけ歩行者が歩くスペースが広くなり、歩行時の安全性が向上する。
【００１６】
請求項５に係る発明によれば、ポストの本体は、上記門まわり機能部の正面に直交する方向に沿うように形成されているから、ポスト本体の敷地内側に出っ張る部分が壁面に対して斜めに突出するので、歩行者の歩行の邪魔にならない。
【００１７】
請求項６に係る発明によれば、上記門まわり機能部の正面は面板によって構成され、この面板に上記門まわり器具が装着されているから、表札、インターホン、ポスト等の器具を容易確実に取り付けることができる。
【図面の簡単な説明】
【００１８】
【図１】本発明に係る機能壁の斜視図
【図２】上記機能壁の正面図
【図３】上記機能壁の側面図
【図４】上記機能壁の一部を省略して示した平面図
【図５】図４の一部の拡大図
【図６】上記機能壁の背面のポスト支持態様説明図
【図７】上記機能壁の要部の分解斜視図
【図８】化粧部に他の形態の化粧板を取り付けた状態の斜視図
【発明を実施するための形態】
【００１９】
図１は本発明に係る機能壁の斜視図、図２は上記機能壁の正面図、図３は上記機能壁の側面図、図４は上記機能壁の一部を省略して示した平面図を示し、図５は図４の一部の拡大図である。上記図において、機能壁Ａは、壁枠１の一側に門まわり機能部ａを配置し、その他の側にルーバー２０を配した壁機能部ｂを設け、その一部に化粧部ｃを配置したものである。機能壁ＡはベースＢ上に固定されている。
【００２０】
すなわち、壁枠１は、金属製の上枠２と下枠３と両側の縦枠４とから構成され、図７に示されるように、上枠２は上部材２ａと上板２ｂ、下枠３は下部材３ａと下板３ｂとから構成され、縦枠４は両側の縦部材４ａと縦板４ｂとを結合してなり、これら上枠２、下枠３及び縦枠４を枠組みしたもので、これによって機能壁Ａのメインフレームとしての壁枠１が構成されている。上板２ｂと下板３ｂの周縁部には折曲縁６が形成されている。
【００２１】
壁枠１の一側の偏り位置には縦桟５が配置され、壁枠１は上記縦桟５によって幅狭の門まわり機能部ａと壁機能部ｂとに区画されている。門まわり機能部ａの正面７ａは、図１及び図４に示されるように、壁機能部ｂの正面７ｂに対して斜めに設けられている。
【００２２】
なお、壁枠１及び壁枠１に固定される上記部材及び以下に示す部材はいずれも金属製材料によって構成すればよい。
【００２３】
次に、門まわり機能部ａには表札１０、インターホン１１、ポスト１２等の門柱まわりの器具を集約して配置している。すなわち、門まわり機能部ａの正面には正面板１４が設けられている。正面板１４は図７に示すように上部面板１４ａと中間部面板１４ｂと下部面板１４ｃとから構成され、下部面板１４ｃには縦長の長方形の開口部１５が形成されている。このように、正面板１４を上下方向に沿って３個に分けたので、各面板１４ａ、１４ｂ、１４ｃと縦枠４と縦桟５の間には方形の開口部が形成される。また、正面板１４の裏側には支持板１６が固定されている。支持板１６には、詳しくは図示しないが、表札１０やインターホン１１の取り付け具や、ポスト１２や荷物箱１７を嵌合する嵌合口が形成されている。そして、これらの正面板１４と支持板１６には表札１０とインターホン１１とポスト１２とが装着されている。上部面板１４ａと中間部面板１４ｂとの間の開口部には表札１０が、中間部面板１４ｂと下部面板１４ｃとの間の開口部にはインターホン１１がそれぞれ嵌合され、下部面板１４ｃの背面側にはポスト１２が配置され、下部面板１４ｃの開口部１５にはポスト１２の投入口が整合するように配置される。また、ポスト１２の下には荷物箱１７が配置される。支持板１６にも同様にして装着される。
【００２４】
このように、壁枠１に門まわり器具を設けたとき、表札１０とインターホン１１は壁枠の内部に納まるが、ポスト１２の後側部分は壁枠１の背面側に突出する。そこで、図６に示されるように、ポスト１２の後側部分は支持枠１８によって支持するのが好ましい。この場合、門まわり機能部ａの正面７ａは他の正面７ｂに対して斜めに形成されているので、直方体形状のポスト１２の後側部分も壁枠１の背面側の壁面７ｃに対して斜めに突出する。
【００２５】
次に、壁機能部ｂにはルーバー２０が配置されている。すなわち、図７に示されるように、上板２ｂの下部にはルーバー固定部材２１と上部ルーバー受け２２が配置固定されている。上部ルーバー受け２２には受け口２３が形成されている。受け口２３は上枠２の長手方向に沿って長く形成されているが、その正面側には鋸歯形の凹凸部２４が形成されている。また、下部材３ａの上部には下部ルーバー受け２５が配置固定されている。この下部ルーバー受け２５にはルーバー２０を嵌合する嵌合溝２６が形成されている。
【００２６】
ルーバー２０は各上部を壁枠の上部ルーバー受け２２の受け口２３から突出させ、図５に示されるように、その突出端の一側の屈曲部２９をルーバー固定部材２１の羽根受け溝２７に嵌合させた後、各ルーバー２０の下端を壁枠１の下部ルーバー受け２５の嵌合溝２６に嵌合し、各ルーバー２０の上下端を上部ルーバー受け２２の取付片２８（図７参照）にビス止め固定したもので、機能壁部ｂは数枚のルーバー２０による通風壁を構成する。
【００２７】
さらに、壁機能部ｂの一部には化粧部ｃが設けられ、該化粧部ｃには化粧板３０が着脱可能となっている。すなわち、化粧板３０は金属板でも木板でもガラス板でもよく、タイル、人口木、ラミネート、ポリカーボネイト等でもよい。表面に適宜の装飾を施してもよい。図１に示されるように、単板に小さな開口部３１を設け、開口部３１にＬＥＤ等の照明手段を配置してもよい。化粧板３０はその上下端を上板２ｂと下板３ｂの折曲縁６の内側にビス等で固定して取り付ければよい。また、図８に示されるように、格子模様に着色したものであってもよい。どのような化粧板３０にするかは、機能壁を設置する現場の状況に応じて選択すればよい。
【００２８】
なお、ＬＥＤ照明は、表札１０やルーバー２０の開口部３１ａに入れてもよい。ＬＥＤには照度センサを取付けてもよい。
【００２９】
最後に、上述の機能壁Ａは、ベースＢ上に固定され、ベースＢとともに移動して所望の位置に設置することができる。
【００３０】
上記構成の機能壁Ａによれば、上枠２と下枠３と両側の側枠４とを方形に枠組みしてなる壁枠１を形成し、上記壁枠１の一側の偏り位置には表札１０、インターホン１１、ポスト１２等の門まわり器具を集約して配置した門まわり機能部ａを設け、他の部位には壁機能部ｂを設けたから、壁は壁枠に基づいて簡単に構成することができ、また、壁枠１に一体的に門まわり器具が付設されているから、壁回りの利便性を向上させることができる。
【００３１】
また、化粧部ｃには化粧板３０を取り付けることができるから、壁回りの雰囲気を変えることができる。しかも、ルーバー２０を配設した機能壁Ａは、玄関前に施工することで、玄関先に設ける機能ポールにはない目隠し効果が期待できる。
【００３２】
さらに、門まわり機能部ａの正面は、上記壁枠１の正面に対して斜めに設けられているから、除かれた角部の分だけ歩行者が歩くスペースが広くなり、歩行時の安全性が向上する。
【００３３】
さらに、上記門まわり機能部ａの正面は面板によって構成され、この面板に上記門まわり器具が装着されているから、表札１０、インターホン１１、ポスト１２等の器具を容易確実に取り付けることができる。
【００３４】
さらにまた、図４に示されるように、ポスト１２の本体１２ａは、上記門まわり機能部ａの正面７ａに直交する方向に沿うように形成されているから、ポスト本体１２ａの敷地内側に出っ張る部分が壁面に対して斜めに突出するので、歩行者の歩行の邪魔にならない。
【００３５】
また、化粧部ｃを設けた側にはルーバー２０が配設されているので、目隠しになるとともに、敷地内外の風通しを良好に確保することができる。
【００３６】
なお、ルーバー２０は、各上下端をビス止めしているだけなので、一部又は前部を取り外して交換することもできる。
【００３７】
なお、壁枠１は上述のように、棒状の上部材２ａと下部材３ａと両側の縦部材４ａと板状の上板２ｂと下板３ｂと縦板４ｂとを結合した形態に限定されない。棒状又は板状のフレーム部材のみによって構成してもよい。
【００３８】
また、壁枠の壁機能部はルーバーによって構成されるものに限定されない。通常の目隠しパネルであってもよく、多数のワイヤを張ったり、格子を配置したり、あるいはその他のパネルであってもよい。
【符号の説明】
【００３９】
Ａ    機能壁
Ｂ    ベース
ａ    門まわり機能部
ｂ    壁機能部
１    壁枠
２    上枠
３    下枠
４    側枠
１０  表札
１１  インターホン
１２  ポスト
２０  ルーバー
３０  化粧板
【図１】
2011042930.tif 000003
【図２】
2011042930.tif 000004
【図３】
2011042930.tif 000005
【図４】
2011042930.tif 000006
【図５】
2011042930.tif 000007
【図６】
2011042930.tif 000008
【図７】
2011042930.tif 000009
【図８】
2011042930.tif 000010